(57)【要約】      （修正有）【課題】簡易構成により、鉛筆挿入孔に指や鉛筆以外のものが挿入されることを防止しつつ、不意に屑ケースが飛び出すことを防止できる電動鉛筆削り器を提供する。【解決手段】鉛筆挿入孔が設けられた鉛筆削り器本体２と、鉛筆削り器本体２に対して出入自在に収納される屑ケース３と、鉛筆削り器本体２に鉛筆挿入孔を覆う被覆位置から鉛筆挿入孔を露出させる使用位置まで移動可能に設けられたカバー４を備える。カバー４が被覆位置に配置されたときにカバー４により屑ケース３の鉛筆削り器本体２からの飛び出しが規制される。【選択図】図１
0003177747.tif 000002
【実用新案登録請求の範囲】
【請求項１】
鉛筆挿入孔が設けられた鉛筆削り器本体と、鉛筆削り器本体に出入自在に収納される屑ケースと、鉛筆削り器本体に鉛筆挿入孔を覆う被覆位置から鉛筆挿入孔を露出させる使用位置まで移動可能に設けられたカバーを備え、カバーが被覆位置に配置されたときに当該カバーにより屑ケースの鉛筆削り器本体からの飛び出しが規制されるようにしたことを特徴とする電動鉛筆削り器。
【考案の詳細な説明】
【技術分野】
【０００１】
本考案は電動鉛筆削り器に関する。
【背景技術】
【０００２】
特許文献１には鉛筆挿入孔に挿入された鉛筆をモーターの駆動により回転する切削刃によって削る電動鉛筆削り器が開示されている。この電動鉛筆削り器は、鉛筆挿入孔を被覆するためのスライドシャッターを有しており、幼児が誤ってあるいはいたずらで鉛筆挿入孔に指を挿入することを防止している。
【先行技術文献】
【特許文献】
【０００３】
【特許文献１】実用新案登録第３１３１４７８号
【考案の概要】
【考案が解決しようとする課題】
【０００４】
ところで、一般的な電動鉛筆削り器は鉛筆挿入孔が設けられた鉛筆削り器本体に対して鉛筆の削り屑を受ける屑ケースが出入自在に収納されている。しかしながら、このような屑ケースを有する電動鉛筆削り器にあっては、机から落下等したときに屑ケースが鉛筆削り器本体の前方に飛び出し、屑ケース内の削り屑が周囲に飛散する可能性がある。
【０００５】
本考案は上記事情に鑑みてなされたものであって、簡易構成により、鉛筆挿入孔に指や鉛筆以外のものが挿入されることを防止しつつ、不意に屑ケースが飛び出すことを防止できる電動鉛筆削り器を提供することを課題とする。
【課題を解決するための手段】
【０００６】
上記課題を解決するために本考案の電動鉛筆削り器は、鉛筆挿入孔７が設けられた鉛筆削り器本体２と、鉛筆削り器本体２に出入自在に収納される屑ケース３と、鉛筆削り器本体２に鉛筆挿入孔７を覆う被覆位置から鉛筆挿入孔７を露出させる使用位置まで移動可能に設けられたカバー４を備え、カバー４が被覆位置に配置されたときに当該カバー４により屑ケース３の鉛筆削り器本体２からの飛び出しが規制されるようにしたことを特徴とする。
【考案の効果】
【０００７】
本考案にあっては、カバーを被覆位置に配置することで、カバーで鉛筆挿入孔を覆うと共に、当該カバーにより屑ケースの鉛筆削り器本体からの飛び出し規制することができる。このため、鉛筆挿入孔に指や鉛筆以外のものが挿入等されることを防止するためのカバーを用いて、屑ケースが鉛筆削り器本体から飛び出して屑ケース内の削り屑が周囲に飛散することを防止できる。
【図面の簡単な説明】
【０００８】
【図１】本実施形態のカバーを被覆位置に配置したときの電動鉛筆削り器の斜視図である。
【図２】同上のカバーを使用位置に配置したときの電電鉛筆削り器の斜視図である。
【図３】同上のカバーを中途位置に配置したときの電電鉛筆削り器の斜視図である。
【図４】他例の電動鉛筆削り器の斜視図である。
【考案を実施するための形態】
【０００９】
以下、本考案を添付図面に基づいて説明する。図１乃至図３に示される本実施形態の電動鉛筆削り器１は鉛筆削り器本体２と屑ケース３とカバー４を備えている。
【００１０】
鉛筆削り器本体２は、一般的な電動鉛筆削り器と同様に、外殻を構成するハウジング５に切削刃やこれを回転させるモーター等を内装したものである。
【００１１】
図２に示されるようにハウジング５の前面部の上部片側には、前方に開口する鉛筆挿入孔７が設けられている。鉛筆挿入孔７に前方から鉛筆が挿入されると、前記モーターが自動的に駆動して鉛筆挿入孔７に差し込まれた鉛筆が前記切削刃によって削られるようになっている。
【００１２】
ハウジング５の鉛筆挿入孔７が設けられた片側の下部には、前方に開口するケース収納部８が形成されている。ケース収納部８の前端開口部はハウジング５の前面部に設けられており、前記鉛筆挿入孔７の下方部に位置している。このケース収納部８には前記屑ケース３が図２中矢印ａに示す前方に引き出し自在に収納される。
【００１３】
屑ケース３は上方に開口する略矩形容器状に形成されており、ケース収納部８に前後方向にスライド自在に収納される。屑ケース３は図２に示されるようにケース収納部８に収納した状態で前記切削刃の下方に位置し、前記切削刃によって削られた鉛筆の削り屑を受ける。屑ケース３内に溜められた削り屑は、屑ケース３をケース収納部８から前方に取り出すことで、ごみ箱等に容易に捨てることができる。また、屑ケース３はその内部に溜められた削り屑を前方から視認できるように透明又は半透明の樹脂等の部材により形成されている。
【００１４】
屑ケース３がケース収納部８に収納されると、屑ケース３の前面部は前記ハウジング５の前面部に設けられたケース収納部８の前端開口部に嵌め込まれ、この屑ケース３の前面部によってケース収納部８は閉塞される。屑ケース３の前面は屑ケース３をケース収納部８に収納した状態でハウジング５の前面と略面一となる。なお、本実施形態では、屑ケース３を鉛筆削り器本体２に対して前方に引き出し自在に設けたが、屑ケース３を前方以外の方向に引き出し自在に設けたり、鉛筆削り器本体２に対して回動自在に設ける等してもよい。すなわち、屑ケース３は鉛筆削り器本体２に対して出入自在に収納されるものであればよい。
【００１５】
カバー４はハウジング５に対して図１に示される被覆位置から図２に示される使用位置までの範囲で回動自在に設けられている。図１に示されるように、カバー４は、ハウジング５の左右幅方向に亘る被覆部９と、被覆部９の左右両端部の夫々からハウジング５側（カバー４を被覆位置に配置したときにおける後方）に向かって突出する片状の連結部１０とで構成され、平面視コ字状に形成されている。
【００１６】
被覆部９は左右に長い略矩形板状に形成され、その幅はハウジング５の上下高さの略半分の寸法である。各連結部１０の突端部には孔（不図示）が穿設されている。一方、ハウジング５の左右両側面の上部には枢支部１１が突設されている。カバー４の各連結部１０は前記孔に枢支部１１を挿通することでハウジング５に回動自在に連結され、これによりカバー４は鉛筆削り器本体２に対して左右軸回りに所定の範囲内で回動自在に連結されている。すなわち、本実施形態のカバー４はハウジング５に対して回動自在に連結することで、図１に示される被覆位置から図２に示される使用位置まで移動可能となっている。
【００１７】
なお、カバー４は、各連結部１０の枢支部１１に対する回動抵抗により、被覆位置から使用位置までのいずれの回動位置にも保持できるようになっているが、被覆位置から使用位置までの複数位置において段階的に保持できるようにしても構わない。また、カバー４はその他の回動手段により鉛筆削り器本体２に回動自在となるものであってもよい。また、カバー４はハウジング５に対してスライド自在に設ける等、回動以外の方法で鉛筆削り器本体２に対して移動自在となるものであってもよい。また、カバー４は図１に示される被覆位置に配置したときに鉛筆挿入孔７が視認できるように透明又は半透明の樹脂等の部材で形成してもよいし、不透明の部材で形成してもよい。
【００１８】
カバー４を図１に示される被覆位置に配置したとき、被覆部９はハウジング５の上半部の前面に沿い、この被覆部９によってハウジング５の前面部の鉛筆挿入孔７を含めた略上半部が覆われる。このため、当該被覆部９によって幼児等が誤って鉛筆挿入孔７に指を挿入することを防止できて安全性を高めることができる。また、幼児等により鉛筆挿入孔７に鉛筆以外のものが挿入されることも防止できる。
【００１９】
また、被覆位置に配置したカバー４の被覆部９の下端部は、ケース収納部８に収納された屑ケース３の前面上端よりも下方に突出し、当該屑ケース３の上端部の前面側（前方）に配置される。このため、誤って電動鉛筆削り器１を落下させた場合等にケース収納部８に収納された屑ケース３が前方に飛び出すことを被覆部９の下端部によって規制することができる。すなわち、本実施形態における被覆部９は、ケース収納部８に収納した屑ケース３の前方への移動を規制するストッパーとして機能し、これによりケース収納部８から屑ケース３が飛び出して屑ケース３内の削り屑が周囲に飛散することを防止できる。なお、鉛筆削り器本体２においてカバー４の被覆部９で覆われる範囲は、前記ハウジング５の前面部の略上半部に限定されるものでなく、例えばハウジング５の前面部の略全体を覆うものであってもよい。すなわち、カバー４は被覆位置に配置したときに少なくとも鉛筆挿入孔７を覆い且つ屑ケース３の飛び出しを規制できるように屑ケース３の外面等に沿って配置されるものであればよい。
【００２０】
また、本実施形態では、カバー４を被覆位置に配置したとき、屑ケース３の前面部は被覆部９の下端部によって上端部のみが覆われ、その他の部分は露出する。このため、カバー４を不透明又は半透明の部材で形成してカバー４を通して屑ケース３内の削り屑を視認できないような場合にも、前記屑ケース３の露出した部分を通して屑ケース３内の削り屑を視認することができる。
【００２１】
図１に示される被覆位置に配置されたカバー４は、被覆部９を持ち上げることで、図３に示される中途位置を経て、図２に示されるように被覆部９がハウジング５の上面前半部に沿う使用位置まで回動することができる。このため、ハウジング５の鉛筆挿入孔７を含む前面部の全体を露出させ、鉛筆挿入孔７に鉛筆を挿入することが可能になる。また、この用にカバー４を使用位置に配置することで、屑ケース３をケース収納部８から前方に取り出すことが可能になる。
【００２２】
また、本実施形態のカバー４は被覆部９が比較的大きな面積を有するため、カバー４が被覆位置にあるか使用位置にあるかを離れた箇所から容易に確認することができる。また、例えば図４に示されるように被覆部９に利用者が好む比較的大きな装飾等を施すことができ、デザイン性も向上することができる。
【００２３】
なお、本考案は上述した実施形態に限定されるものではなく、本考案の趣旨を逸脱しない範囲内で、必要に応じて、任意に且つ適宜に変更・選択して採用できるものである。
【符号の説明】
【００２４】
１  電動鉛筆削り器
２  鉛筆削り器本体
３  屑ケース
４  カバー
７  鉛筆挿入孔
【図１】
0003177747.tif 000003
【図２】
0003177747.tif 000004
【図３】
0003177747.tif 000005
【図４】
0003177747.tif 000006